(57)【要約】      （修正有）【課題】鋼棒ストッパーの埋込部の少なくとも一部にリブを取付けることによって、損傷を鋼棒ストッパーの遊間部に集中させ、鋼棒ストッパーの埋込部が埋込まれた構造物のコンクリートの損傷を抑制することができ、構造物の復旧作業を容易に、かつ、迅速に行うことができる鋼棒ストッパー及び鋼棒ストッパー取付構造を提供する。【解決手段】下部工に少なくとも下端が埋込まれ、下部工の上に載置された上部工に少なくとも上端が埋込まれる丸鋼棒から成る鋼棒ストッパーであって、下部工と上部工との間の空隙に露出する遊間部と、下部工及び上部工に埋込まれる埋込部とを備え、埋込部の少なくとも一部の外周面にリブが取付けられている。【選択図】図５
2019157523.tif 000002
【特許請求の範囲】
【請求項１】
下部工に少なくとも下端が埋込まれ、前記下部工の上に載置された上部工に少なくとも上端が埋込まれる丸鋼棒から成る鋼棒ストッパーであって、
前記下部工と上部工との間の空隙に露出する遊間部と、
前記下部工及び上部工に埋込まれる埋込部とを備え、
該埋込部の少なくとも一部の外周面にリブが取付けられていることを特徴とする鋼棒ストッパー。
【請求項２】
前記リブは、上下方向に延在する平板状の部材であって、前記丸鋼棒の中心から放射状に半径方向外側に延びるように複数取付けられている請求項１に記載の鋼棒ストッパー。
【請求項３】
前記埋込部における遊間部の近傍部分である遊間近傍部の外周面に前記リブが取付けられている請求項１又は２に記載の鋼棒ストッパー。
【請求項４】
前記埋込部における遊間部から遠い部分である遠方部の外周面には前記リブが取付けられていない請求項３に記載の鋼棒ストッパー。
【請求項５】
前記埋込部の少なくとも一部の断面剛性が前記遊間部の断面剛性よりも大きい請求項１に記載の鋼棒ストッパー。
【請求項６】
下部工と、
該下部工の上に載置された上部工と、
前記下部工に少なくとも下端が埋込まれ、前記上部工に少なくとも上端が埋込まれた丸鋼棒から成る鋼棒ストッパーとを備え、
該鋼棒ストッパーは、前記下部工と上部工との間の空隙に露出する遊間部と、前記下部工及び上部工に埋込まれる埋込部とを含み、該埋込部の少なくとも一部の外周面にリブが取付けられていることを特徴とする鋼棒ストッパー取付構造。
【発明の詳細な説明】
【技術分野】
【０００１】
本開示は、鋼棒ストッパー及び鋼棒ストッパー取付構造に関するものである。
【背景技術】
【０００２】
従来、鉄道や道路の高架橋等の構造物として、鉄筋コンクリート構造物が広く使用されている。このような構造物においては、下部工であるラーメン高架橋又は橋脚と、上部工である橋桁とを連結するために鋼棒ストッパー、鋼角ストッパーまたはダンパー式ストッパーが使用されている。該当のストッパーに要求される機能は、地震等による水平力に対して桁の移動を制限すること、橋桁の落橋を防止することである。鋼棒ストッパーとしては、桁長１５〔ｍ〕以下程度の桁にて、丸鋼棒から成る鋼棒ストッパーが使用されている（例えば、特許文献１参照。）。
【０００３】
図１は従来の鋼棒ストッパーを下部工と上部工との連結部に適用した例を示す斜視図、図２は従来の鋼棒ストッパーが適用された下部工と上部工との連結部の断面図である。なお、図２において、（ａ）は連結部全体の縦断面図、（ｂ）は鋼棒ストッパーの横断面図である。
【０００４】
図１において、２１は鉄道に使用される高架橋の桁であって、鉄筋コンクリート構造またはプレストレストコンクリート構造であり、その上面に鉄道の線路、すなわち、軌道２５が敷設されている。また、１１は前記高架橋の橋脚であって、鉄筋コンクリート構造であり、前記桁２１を支持し、基礎や地盤に鉛直荷重を伝達する。具体的には、橋脚１１の上部の桁座１２上に沓座１３、支承本体１４を設置し、前記桁２１が上載されている。なお、図１においては、説明の都合上、桁２１と連続する桁の図示が省略されている。
【０００５】
また、地震等による水平力によって生じる桁２１の水平方向の移動を制限するために一様な径の丸鋼棒３７から成る鋼棒ストッパー３１が桁座１２及び桁端２２に埋込まれている。具体的には、図２に示されるように、前記鋼棒ストッパー３１の下端及びその近傍である下方埋込部３２Ｂが桁座１２に埋込まれ、前記鋼棒ストッパー３１の上端及びその近傍である上方埋込部３２Ａが桁端下面２２ａに開口するように桁端２２に挿入された鋼管から成るさや管２３内に収容されて埋込まれている。また、前記桁座１２に埋込まれた鋼棒ストッパー３１の下方埋込部３２Ｂの周囲及び桁端２２に挿入されたさや管２３の周囲を取囲むように、前記桁座１２及び桁端２２には、スパイラル鉄筋２６が埋込まれている。なお、上方埋込部３２Ａと下方埋込部３２Ｂとを統合的に説明する場合には、埋込部３２として説明する。
【０００６】
そして、桁座上面１２ａと桁端下面２２ａとの間には、図２に示されるように、遊間部３３を有している。なお、前記鋼棒ストッパー３１は、図１に示されるように、桁２１の幅方向に並ぶように、複数本（図に示される例では、３本）設置される。
【０００７】
このように、鋼棒ストッパー３１の上下両側が桁座１２及び桁端２２に埋込まれているので、橋脚１１に対する桁２１の水平方向の移動が適切に制限される。なお、地震時のように慣性力Ｇが桁２１に作用した際には、図２に示されるように、鋼棒ストッパー３１が慣性力Ｇを受止めるようになっている。
【先行技術文献】
【特許文献】
【０００８】
【特許文献１】特開２０１０−２４２４４３号公報
【発明の概要】
【発明が解決しようとする課題】
【０００９】
しかしながら、前記従来の技術では、地震時のように大きな慣性力Ｇを受けた場合、鋼棒ストッパー３１の下方埋込部３２Ｂが埋込まれている下部工としての桁座１２や、鋼棒ストッパー３１の上方埋込部３２Ａが埋込まれている上部工としての桁端２２が損傷を受けてしまうことがある。
【００１０】
図３は従来の鋼棒ストッパーが埋込まれた上部工が地震によって受けた損傷を示す写真、図４は従来の鋼棒ストッパーが埋込まれた下部工が地震によって受けた損傷を示す写真である。
【００１１】
交通ネットワークである鉄道や道路の高架橋等における上部工や下部工の損傷は、医療や援助物資、救援部隊の派遣等を途絶し、人命を脅かすので、早急に復旧する必要がある。しかし、図３及び４に示されるように、桁端２２や桁座１２が損傷を受けた場合、高所作業車を使用した点検が必要であり、復旧に時間と労力とが必要となる。また、損傷は、桁座１２の前面１２ｂ側のみならず、図４に示されるように、桁座１２の背面１２ｃ側（桁遊間）にも生じるが、該背面１２ｃは見えない箇所であり、また、復旧作業を行うための作業空間が狭隘なので、復旧に長い時間がかかるだけでなく、復旧作業自体が困難となる場合もある。
【００１２】
ここでは、前記従来の技術の問題点を解決して、鋼棒ストッパーの埋込部の少なくとも一部にリブを取付けることによって、損傷を鋼棒ストッパーの遊間部に集中させ、鋼棒ストッパーの埋込部が埋込まれた構造物のコンクリートの損傷を抑制することができ、構造物の復旧作業を容易に、かつ、迅速に行うことができる鋼棒ストッパー及び鋼棒ストッパー取付構造を提供することを目的とする。
【課題を解決するための手段】
【００１３】
そのために、鋼棒ストッパーにおいては、下部工に少なくとも下端が埋込まれ、前記下部工の上に載置された上部工に少なくとも上端が埋込まれる丸鋼棒から成る鋼棒ストッパーであって、前記下部工と上部工との間の空隙に露出する遊間部と、前記下部工及び上部工に埋込まれる埋込部とを備え、該埋込部の少なくとも一部の外周面にリブが取付けられている。
【００１４】
他の鋼棒ストッパーにおいては、さらに、前記リブは、上下方向に延在する平板状の部材であって、前記丸鋼棒の中心から放射状に半径方向外側に延びるように複数取付けられている。
【００１５】
更に他の鋼棒ストッパーにおいては、さらに、前記埋込部における遊間部の近傍部分である遊間近傍部の外周面に前記リブが取付けられている。
【００１６】
更に他の鋼棒ストッパーにおいては、さらに、前記埋込部における遊間部から遠い部分である遠方部の外周面には前記リブが取付けられていない。
【００１７】
更に他の鋼棒ストッパーにおいては、さらに、前記埋込部の少なくとも一部の断面剛性が前記遊間部の断面剛性よりも大きい。
【００１８】
鋼棒ストッパー取付構造においては、下部工と、該下部工の上に載置された上部工と、前記下部工に少なくとも下端が埋込まれ、前記上部工に少なくとも上端が埋込まれた丸鋼棒から成る鋼棒ストッパーとを備え、該鋼棒ストッパーは、前記下部工と上部工との間の空隙に露出する遊間部と、前記下部工及び上部工に埋込まれる埋込部とを含み、該埋込部の少なくとも一部の外周面にリブが取付けられている。
【発明の効果】
【００１９】
本開示によれば、鋼棒ストッパーの埋込部の少なくとも一部にリブを取付ける。これにより、損傷を鋼棒ストッパーの遊間部に集中させ、鋼棒ストッパーの埋込部が埋込まれた構造物のコンクリートの損傷を抑制することができ、構造物の復旧作業を容易に、かつ、迅速に行うことができる。
【図面の簡単な説明】
【００２０】
【図１】従来の鋼棒ストッパーを下部工と上部工との連結部に適用した例を示す斜視図である。
【図２】従来の鋼棒ストッパーが適用された下部工と上部工との連結部の断面図である。
【図３】従来の鋼棒ストッパーが埋込まれた上部工が地震によって受けた損傷を示す写真である。
【図４】従来の鋼棒ストッパーが埋込まれた下部工が地震によって受けた損傷を示す写真である。
【図５】第１の実施の形態における構造物の載荷試験によって得られた水平荷重と水平変位との関係を示す図である。
【図６】第１の実施の形態における構造物の載荷試験によって受けた損傷を示す写真である。
【図７】第１の実施の形態における構造物の再現解析によって得られた支圧応力の分布を示す図である。
【図８】第１の実施の形態における鋼棒ストッパーを示す図である。
【図９】第２の実施の形態における鋼棒ストッパーを示す図である。
【発明を実施するための形態】
【００２１】
以下、実施の形態について図面を参照しながら詳細に説明する。
【００２２】
図５は第１の実施の形態における構造物の載荷試験によって得られた水平荷重と水平変位との関係を示す図、図６は第１の実施の形態における構造物の載荷試験によって受けた損傷を示す写真、図７は第１の実施の形態における構造物の再現解析によって得られた支圧応力の分布を示す図である。なお、図６において、（ａ）は第１の載荷試験によって受けた損傷を示す写真、（ｂ）は第２の載荷試験によって受けた損傷を示す写真である。
【００２３】
本実施の形態においては、「背景技術」及び「発明が解決しようとする課題」の項における説明を援用し、下部工と上部工との連結部における各部の構造、動作及び効果であって、「背景技術」及び「発明が解決しようとする課題」の項において説明したものと同じものについては、図１及び２に示される符号と同じ符号を付与することによって、適宜、説明を省略する。
【００２４】
また、本実施の形態において、下部工と上部工との連結部の各部及びその他の部材の構成及び動作を説明するために使用される上、下、左、右、前、後等の方向を示す表現は、絶対的なものでなく相対的なものであり、下部工と上部工との連結部の各部及びその他の部材が図に示される姿勢である場合に適切であるが、その姿勢が変化した場合には姿勢の変化に応じて変更して解釈されるべきものである。
【００２５】
「発明が解決しようとする課題」の項で説明したように、鉄道の高架橋等における上部工、下部工等の構造物が被災した場合、損傷を受けた箇所が桁端２２や桁座１２であると、復旧に長い時間がかかるだけでなく、復旧作業自体が困難となる場合もある。そこで、被災した場合に構造物がどのような損傷を受けるのかを解明するために、載荷試験が行われている。このような載荷試験によって、鋼棒ストッパー３１や、鋼棒ストッパー３１の下方埋込部３２Ｂが埋込まれている下部工である桁座１２のコンクリートの残存耐力と損傷との関係が明らかになりつつある。
【００２６】
図５には、第１及び第２（Ｎｏ．１及びＮｏ．２）の載荷試験の結果として得られた水平荷重と水平変位との関係を示す曲線が示されている。そして、鋼棒ストッパー３１が降伏した点や、図６に示されるような桁座１２のコンクリートにはく離が発生した点も示されている。
【００２７】
また、図５に示されるような載荷試験の結果に基づいて解析を行うことによって、図７に示されるように、鋼棒ストッパー３１の下方埋込部３２Ｂが埋込まれている桁座１２のコンクリートの支圧力の分布を再現することができる。図７に示される結果から、支圧力は桁座上面１２ａの近傍に集中することが分かる。
【００２８】
鋼棒ストッパー３１の埋込部３２の周囲におけるコンクリートは、現在の設計手法及び構造細目では、損傷を抑制することが困難である。そこで、ここでは、損傷メカニズムから、鋼棒ストッパー３１の仕様を変更することによって、埋込部３２の周囲におけるコンクリートの損傷を制御することとする。
【００２９】
図８は第１の実施の形態における鋼棒ストッパーを示す図である。なお、図において、（ａ）は側面図、（ｂ）は（ａ）におけるＡ−Ａ矢示断面図である。
【００３０】
図８（ａ）に示されるように、本実施の形態におけるストッパーは、外径が一様な丸鋼棒３７から成る鋼棒ストッパー３１であるが、上部工としての桁端２２に埋込まれる上方埋込部３２Ａ、及び、下部工としての桁座１２に埋込まれる下方埋込部３２Ｂの丸鋼棒３７の外周面には、軸方向、すなわち、上下方向に延在する平板から成る鰭状（フィン状）のリブ３４が複数取付けられている。各リブ３４は、上下方向に延在する平板状の部材であって、図８（ｂ）に示されるように、鋼棒ストッパー３１の中心から放射状に半径方向外側に延びるように、取付けられている。
【００３１】
図８に示される例において、丸鋼棒３７自体の直径は全長に亘り約１００〔ｍｍ〕であり、各リブ３４の高さは約１５〔ｍｍ〕であり、各リブ３４の板厚は約９〔ｍｍ〕であり、埋込部３２の長さは約６００〔ｍｍ〕であり、小径の遊間部３３の長さは約１００〔ｍｍ〕であるが、各部の直径及び長さは、適宜変更することができる。なお、前記リブ３４の数、及び、寸法は、埋込部３２の断面剛性が遊間部３３の断面剛性が大きくなるように設定されることが望ましい。
【００３２】
図８に示されるように、桁端２２及び桁座１２に埋込まれる埋込部３２にリブ３４を取付けて前記埋込部３２の断面剛性を遊間部３３の断面剛性より大きくすることによって、地震時のように大きな慣性力Ｇを受けた場合に、鋼棒ストッパー３１の遊間部３３に損傷を集中させ、桁端２２及び桁座１２における埋込部３２の周囲のコンクリートの損傷を抑制することができる。なお、埋込部３２を桁端２２及び桁座１２に埋込む際の施工性は、桁端２２におけるさや管２３を省略したり、さや管２３にリブ３４を収容するスリットを形成したりすることによって、従来の鋼棒ストッパー３１と同様にすることができる。
【００３３】
このように、本実施の形態において、鋼棒ストッパー３１は、下部工としての桁座１２に少なくとも下端が埋込まれ、桁座１２の上に載置された上部工としての桁端２２に少なくとも上端が埋込まれる丸鋼棒３７から成る。そして、鋼棒ストッパー３１は、桁座１２と桁端２２との間の空隙２４に露出する遊間部３３と、桁座１２及び桁端２２に埋込まれる埋込部３２とを備え、埋込部３２の少なくとも一部の外周面にリブ３４が取付けられている。
【００３４】
また、本実施の形態における鋼棒ストッパー取付構造は、下部工としての桁座１２と、桁座１２の上に載置された上部工としての桁端２２と、桁座１２に少なくとも下端が埋込まれ、桁端２２に少なくとも上端が埋込まれ埋込まれた丸鋼棒３７から成る鋼棒ストッパー３１とを備え、鋼棒ストッパー３１は、桁座１２と桁端２２との間の空隙２４に露出する遊間部３３と、桁座１２及び桁端２２に埋込まれる埋込部３２とを含み、埋込部３２の少なくとも一部の外周面にリブ３４が取付けられている。
【００３５】
これにより、損傷を鋼棒ストッパー３１の遊間部３３に集中させ、鋼棒ストッパー３１の埋込部３２が埋込まれた構造物のコンクリートの損傷を抑制することができ、構造物の復旧作業を容易に、かつ、迅速に行うことができる。
【００３６】
また、リブ３４は、上下方向に延在する平板状の部材であって、丸鋼棒３７の中心から放射状に半径方向外側に延びるように複数取付けられている。さらに、埋込部３２の少なくとも一部の断面剛性が遊間部３３の断面剛性よりも十分大きくする。このように、遊間部３３の断面剛性を小さくすることによって、構造物のコンクリートの損傷を効率的に抑制することができる。
【００３７】
次に、第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００３８】
図９は第２の実施の形態における鋼棒ストッパーを示す図である。なお、図において、（ａ）は側面図、（ｂ）は（ａ）におけるＢ−Ｂ矢示断面図である。
【００３９】
図７に示される結果からも分かるように、大きな慣性力Ｇを受けた場合、コンクリートの支圧力が空隙２４に近い部分に集中する。そこで、本実施の形態における鋼棒ストッパー３１は、図９に示されるように、埋込部３２における遊間部３３の近傍部分だけが、外周面にリブ３４が取付けられ、断面剛性が大きくなっている。
【００４０】
より詳細に説明すると、上方埋込部３２Ａにおける遊間近傍部３２Ａａ及び下方埋込部３２Ｂにおける遊間近傍部３２Ｂａにリブ３４が取付けられ、上方埋込部３２Ａにおける遠方部３２Ａｂ及び下方埋込部３２Ｂにおける遠方部３２Ｂｂにはリブ３４が取付けられておらず、遊間部３３と同様になっている。なお、上方埋込部３２Ａにおける遊間近傍部３２Ａａ及び下方埋込部３２Ｂにおける遊間近傍部３２Ｂａを統合的に説明する場合には遊間近傍部３２ａとして説明し、上方埋込部３２Ａにおける遠方部３２Ａｂ及び下方埋込部３２Ｂにおける遠方部３２Ｂｂを統合的に説明する場合には遠方部３２ｂとして説明する。図９に示される例において、丸鋼棒３７自体の直径は全長に亘り約１００〔ｍｍ〕であり、各リブ３４の高さは約１５〔ｍｍ〕であり、各リブ３４の板厚は約９〔ｍｍ〕であり、埋込部３２の長さは約６００〔ｍｍ〕であり、遊間部３３の長さは約１００〔ｍｍ〕であり、遊間近傍部３２ａの長さは約３００〔ｍｍ〕であるが、各部の直径及び長さは、適宜変更することができる。なお、前記リブ３４の数、及び、寸法は、埋込部３２の断面剛性が遊間部３３の断面剛性の２倍程度となるように設定されることが望ましい。
【００４１】
このように、本実施の形態において、埋込部３２における遊間部３３の近傍部分である遊間近傍部３２ａの外周面にリブ３４が取付けられている。また、埋込部３２における遊間部３３から遠い部分である遠方部３２ｂの外周面にはリブ３４が取付けられていない。
【００４２】
これにより、構造物のコンクリートの支圧力が集中する箇所の断面剛性を大きくすることができ、構造物のコンクリートの損傷を効率的に抑制することができる。
【００４３】
なお、その他の点の効果については、前記第１の実施の形態と同様であるので、その説明を省略する。
【００４４】
また、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００４５】
本開示は、鋼棒ストッパー及び鋼棒ストッパー取付構造に適用することができる。
【符号の説明】
【００４６】
１２    桁座
２２    桁端
２４    空隙
３１    鋼棒ストッパー
３２Ａ    上方埋込部
３２Ａａ、３２Ｂａ    遊間近傍部
３２Ａｂ、３２Ｂｂ    遠方部
３２Ｂ    下方埋込部
３３    遊間部
３４    リブ
３７    丸鋼棒
【図１】
2019157523.tif 000003
【図２】
2019157523.tif 000004
【図３】
2019157523.tif 000005
【図４】
2019157523.tif 000006
【図５】
2019157523.tif 000007
【図６】
2019157523.tif 000008
【図７】
2019157523.tif 000009
【図８】
2019157523.tif 000010
【図９】
2019157523.tif 000011